【事件の表示】
　特願２０１８−２０３５００号「遊技機」拒絶査定不服審判事件〔平成３１年１月２４日出願公開、特開２０１９−１０５８７号〕について、次のとおり審決する。
【結　論】
　本件審判の請求は、成り立たない。
【理　由】
第１　手続の経緯の概要
　本願は、平成２５年７月１７日に出願した特願２０１３−１４８６０３号の一部を平成３０年１０月３０日に新たな特許出願（特願２０１８−２０３５００号）としたものであって、令和１年８月１３日付けで拒絶の理由が通知され、同年１０月４日に意見書及び手続補正書が提出されたところ、同年１２月２６日付け（送達日：令和２年１月７日）で拒絶査定（以下「原査定」という。）がなされ、それに対して、同年４月６日に拒絶査定不服審判の請求がなされると同時に手続補正がなされたものである。
　　
第２　令和２年４月６日にされた手続補正についての補正の却下の決定
［補正の却下の決定の結論］
　令和２年４月６日にされた手続補正（以下「本件補正」という。）を却下する。
　
［理由］
　１　補正の内容
　本件補正により、令和１年１０月４日付け手続補正書の特許請求の範囲の請求項１における
「遊技演出構造体を備える遊技機において、
　前記遊技演出構造体は、少なくとも、
　支持部材により支持され、動作演出を実行することが可能な可動部材と、　端部からの光の照射によって発光する発光パターンが形成される導光板と、
　窓部を有する前面構造体と、
　前記窓部を介して視認される表示手段と、
　装飾部と、を備え、
　前記表示手段は、
　前記導光板が発光している時における前記導光板の非発光領域を介して遊技者が視認可能となるように演出画像を表示することが可能である遊技機。」は、審判請求時に提出された手続補正書（令和２年４月６日付け）における
「遊技演出構造体を備える遊技機において、
　前記遊技演出構造体は、少なくとも、
　支持部材により支持され、
　動作演出を実行することが可能な可動部材と、
　端部からの光の照射によって発光する発光パターンが形成される導光板と、
　窓部を有する前面構造体と、
　前記窓部を介して視認される表示手段と、
　装飾部と、を備え、
　前記表示手段は、
　前記導光板が発光している時における前記導光板の非発光領域を介して遊技者が視認可能となるように演出画像を表示することが可能であり、
前記発光パターンが発光する発光演出と前記演出画像とが関連した演出を実行可能である
　
　２　補正の適否
　本件補正は、「表示手段」において実行可能な演出に関して、補正前の請求項１に、「前記表示手段は、」「前記発光パターンが発光する発光演出と前記演出画像とが関連した演出を実行可能である」ことを加えるものであって、請求項１を限定することを含むものである。
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の【０５７２】、【０５９５】〜【０６０３】、【０６３９】〜【０６４１】の記載、および、願書に最初に添付した図面の【図４８】〜【図４９】、【図５１】、【図５６】の図示内容からみて、新規事項を追加するものではないから、特許法第１７条の２第３項に規定する要件を満たす。　　　　　
　
　３　独立特許要件
　そこで、本件補正後の請求項１に係る発明（以下「本件補正発明」という。）が特許出願の際に独立して特許を受けることができるものであるか、すなわち、特許法第１７条の２第６項において準用する同法第１２６条第７項の規定に適合するかについて、以下に検討する。
　（１）本件補正発明
　本件補正発明は、次のとおりのものであると認める（記号Ａ〜Ｄは、分説するため当審で付した。）。
「Ａ　遊技演出構造体を備える遊技機において、
　Ｂ　前記遊技演出構造体は、少なくとも、
　Ｂ１　支持部材により支持され、
　Ｂ２　動作演出を実行することが可能な可動部材と、
　Ｂ３　端部からの光の照射によって発光する発光パターンが形成される導光板と、
　Ｂ４　窓部を有する前面構造体と、
　Ｂ５　前記窓部を介して視認される表示手段と、
　Ｂ６　装飾部と、を備え、
　Ｃ　前記表示手段は、
　前記導光板が発光している時における前記導光板の非発光領域を介して遊技者が視認可能となるように演出画像を表示することが可能であり、前記発光パターンが発光する発光演出と前記演出画像とが関連した演出を実行可能である
　Ｄ　遊技機。」
　
　（２）引用発明
　原査定の拒絶理由において提示された、本願の出願前に頒布された刊行物である特開２０１２−１７５９９４号公報（以下「引用文献１」という。）には、図面と共に次の事項が記載されている（下線部は当審で付した。以下同様。）。
　　　ア　記載事項
　　　（ア）
「【発明が解決しようとする課題】
【０００５】
　ところで、表示装置の前方に移動する演出役物を光で装飾して演出効果を十分に得ようとすることが考えられるが、演出役物に発光源を搭載すると、演出役物の重量が増加して演出役物用の駆動源に負荷が掛かり易くなってしまう。この結果、演出役物がスムーズに駆動することができなくなり、却って演出効果が十分に得られない虞がある。
【０００６】
　本発明は、上記の事情に鑑みてなされたものであり、その目的は、演出用可動役物に発光源を備えていなかったとしても演出効果を十分に期待することができる遊技機を提供しようとするものである。」
　　　（イ）
「【発明を実施するための形態】
【００２０】
　以下、代表的な遊技機であるパチンコ遊技機を例に挙げて本発明の実施の形態を図面に基づき説明する。なお、説明においては、遊技者に近い側を前方、遠い側を後方とする。
　
パチンコ遊技機１
　
　　　（ウ）
「【００２５】
　センターケースユニット５１は、遊技領域２５のうち変動表示装置３１の前方に配置された枠体構造のユニットであり、当該
センターケースユニット５１の中央部分には表示開口部５６が遊技盤５の表裏方向へ貫通する状態で開設され、該表示開口部５６から変動表示装置３１の表示部３１ａを遊技盤５の前方へ臨ませている。
　
　　　（エ）　　　
「【００３３】
　次に、枠体基部５２について説明する。
　枠体基部５２は、図３および図９に示すように、遊技盤５の裏面側に止着される額縁状の基部ケース９１を前側が開放した状態で備え、該基部ケース９１の後部には矩形状の開口窓９１ａを遊技盤５の表裏方向へ貫通して開設し、基部ケース９１の後方から変動表示装置３１を装着して、変動表示装置３１の表示部３１ａを開口窓９１ａおよびセンターケースユニット５１の表示開口部５６から包囲枠体３０の前方へ臨ませている。さらに、開口窓９１ａの周縁の前側には、複数の演出用役物装置５４（
演出役物ユニット９５
を備えている。
【００３４】
　詳しくは、開口窓９１ａの外周縁の前側には額縁状のユニット取付枠９７を備え、該ユニット取付枠９７の内側開口の上縁部および左右両側縁部には複数の装飾材９８を止着している。また、ユニット取付枠９７の上辺部の前面には、演出役物ユニット９５の一部を構成する第１可動役物ユニット１０１を装着して表示開口部５６の上縁部と変動表示装置３１との間に配置し、ユニット取付枠９７のうち装飾パネル７８側に位置する右側辺部の前面には、演出役物ユニット９５の一部を構成する第２可動役物ユニット１０２を装着して装飾パネル７８と変動表示装置３１との間に配置している。さらに、ユニット取付枠９７のうち球導入路６４側に位置する左側辺部の前面には、ＬＥＤ等の発光体が実装された 取付枠発光基板１０４を装着して透明な取付枠レンズカバー１０５で前方から被覆し、ユニット取付枠９７の下辺部には昇降役物ユニット９６を装着して仕切り壁部７１（詳しくは表示開口部５６の下縁部に位置する仕切り壁部７１）と変動表示装置３１との間に配置している。そして、図２および図３に示すように、第１可動役物ユニット１０１が表示部３１ａの上方に位置し、第２可動役物ユニット１０２が装飾パネル７８により前方から被覆された状態で表示部３１ａの側方に位置し、昇降役物ユニット９６が仕切り壁部７１により前方から被覆された状態で表示部３１ａの下方に位置するように構成されている。
【００３５】
　
演出役物ユニット９５は、第１可動役物ユニット１０１
と第２可動役物ユニット１０２とを備えて演出動作を実行可能なユニットである。第１可動役物ユニット１０１は、
装飾動作ユニット１１２を装着している。
【００３６】
　
装飾動作ユニット１１２は、
第１ユニットベース１１５
を備えている。
第１ユニットベース１１５の一端部
からは第１ユニット回動軸１１９を遊技盤５の表裏方向に沿って延設し、
　
　　　（オ）
「【００４２】
　
第２可動役物ユニット１０２は、
作動により装飾効果を発揮する複数
の第２装飾本体部１５１
搭載して構成されており、
　
　　　（カ）
「【００７７】
　さらに、遊技盤５は、包囲枠体３０と変動表示装置３１との間に、表示部３１ａに表示される演出表示とは異なる
補助表示を実行して演出を行う補助演出ユニット２６０
補助演出ユニット２６０は、
表示部３１ａの前方に重なって配置される
導光板２６１
を備えて構成されている。導光板２６１は、
透光性部材で構成された平板であり、
表示部３１ａの各変動表示領域３１ｂと重なる箇所には、変動表示領域３１ｂ毎に対応する補助表示領域２６５（左側補助表示領域２６５Ｌ，中央補助表示領域２６５Ｃ，右側補助表示領域２６５Ｒ）をそれぞれ設定している。
各補助表示領域２６５には
複数の花びらの輪郭を表現するドットパターンをそれぞれ施している。
補助表示光源２６２から照射された光
照射対象となった補助表示領域２６５においてのみドットパターンが屈曲光により光り、複数の花びらの輪郭を表示して補助表示を実行できるように構成されている。
【００７８】
　
補助表示光源２６２は、補助表示領域２６５毎に対応して光を照射する照明装置２６９を導光板２６１の縁に沿って複数並べて構成されている。
　
　　　（キ）
「【００９６】
　そして、
演出役物ユニット９５の演出動作と、変動表示装置３１における表示動作および補助演出ユニット２６０における表示動作との連動は、第１ユニットベース１１５の第１ユニット動作時（演出制御装置２９５による第１ユニット動作制御の実行時）に行われる。
変動表示装置３１
において識別情報を変動表示させておき、
第１ユニットベース１１５が下降状態へ変換したことを契機にして、左側表示用照明装置２６９Ｌおよび右側表示用照明装置２６９Ｒを消灯とともに中央表示用照明装置２６９Ｃを点灯する制御を実行して、導光板２６１の左側補助表示領域２６５Ｌおよび右側補助表示領域２６５Ｒにおける補助表示を停止するとともに中央補助表示領域２６５Ｃにおいて補助表示を行う
。
【００９７】
　さらに、第１ユニットベース１１５が下降状態から上方へ移動して上昇状態に戻る最中には、まず、第１ユニットベース１１５が上昇し始めたタイミングで、中央表示用照明装置２６９Ｃを消灯するとともに右側表示用照明装置２６９Ｒを点灯する制御を実行して、中央補助表示領域２６５Ｃにおける補助表示を停止するとともに右側補助表示領域２６５Ｒにおいて補助表示を行う。そして、第１ユニットベース１１５が上昇している途中、例えば、第１ユニットベース１１５の先端部が左側補助表示領域２６５Ｌの前方に到達したタイミングで、右側表示用照明装置２６９Ｒを消灯するとともに左側表示用照明装置２６９Ｌを点灯する制御を実行して、右側補助表示領域２６５Ｒにおける補助表示を停止するとともに左側補助表示領域２６５Ｌにおいて補助表示を行う。
【００９８】
　このようにして補助演出ユニット２６０が第１ユニットベース１１５の第１ユニット動作を契機にして補助表示を実行するので、第１可動役物ユニット１０１の演出動作を際立たせることができ、第１可動役物ユニット１０１による演出と補助演出ユニット２６０による演出との相乗効果を期待することができる。また、補助演出ユニット２６０が変動表示領域３１ｂに対応して設定された補助表示領域２６５にて補助表示を実行し、さらに、
演出制御装置２９５が第１ユニットベース１１５の第１ユニット動作および補助演出ユニット２６０における補助表示と、変動表示装置３１における識別情報の変動表示と、を連動させる制御を実行するので、変動表示ゲームの結果態様に対する期待感を遊技者に与えることができ、遊技の興趣の向上を図ることができる。
　
　　　（ク）
「【０１０９】
　また、演出制御装置２９５は、表示部３１ａに複数の花びらが散る様子の映像を表示する制御を実行し、
第１可動役物ユニット１０１が上下動
　
　　イ　引用発明
　上記ア（ア）〜（キ）の記載事項、および、図面の図示内容を総合勘案すると、引用文献１には、次の発明（以下「引用発明」という。）が記載されていると認められる（ａ〜ｄは、本件補正発明のＡ〜Ｄに対応させて付与した。）。
「ａ　パチンコ遊技機１（【００２０】）であって、
　ｂ　演出動作を実行可能なユニットであって、第１可動役物ユニット１０１と第２可動役物ユニット１０２とを具備する演出役物ユニット９５（【００３３】、【００３５】）と、
　ｂ３　変動表示装置３１の表示部３１ａの前方に重なって配置され、表示部３１ａの各変動表示領域３１ｂと重なる箇所には、変動表示領域３１ｂ毎に対応する補助表示領域２６５（左側補助表示領域２６５Ｌ，中央補助表示領域２６５Ｃ，右側補助表示領域２６５Ｒ）がそれぞれ設定され、
　各変動表示領域３１ｂ毎に対応する補助表示領域２６５には、複数の花びらの輪郭を表現するドットパターンがそれぞれ施され、
　補助表示領域２６５毎に対応して光を照射する照明装置２６９を導光板２６１の縁に沿って複数並べて構成されている、補助表示光源２６２からの光を、照射対象となった補助表示領域２６５に照射することで、照射対象となった補助表示領域２６５においてのみドットパターンが屈曲光により光る、透光性部材で構成された平板である、補助表示を実行して演出を行う補助演出ユニット２６０に具備された導光板２６１（【００２５】、【００７７】〜【００７８】）と、
　ｂ４　中央部分に表示開口部５６が遊技盤５の表裏方向へ貫通する状態で開設されたセンターケースユニット５１（【００２５】）と、
　ｂ５　表示開口部５６から、表示部３１ａを遊技盤５の前方へ臨ませている変動表示装置３１（【００２５】）と、を備え、
　ｂ１、ｂ２　上下動する第１可動役物ユニット１０１には、第１ユニットベース１１５を有する装飾動作ユニット１１２が装着され、第１ユニットベース１１５の一端部からは、第１ユニット回動軸１１９が遊技盤５の表裏方向に沿って延設され（【００３５】〜【００３６】、【０１０９】）、
　ｂ６　第２可動役物ユニット１０２は、作動により装飾効果を発揮する複数の第２装飾本体部１５１を搭載して構成され（【００４２】）、
　ｃ　第１ユニットベース１１５の第１ユニット動作時（演出制御装置２９５による第１ユニット動作制御の実行時）に、
　第１ユニットベース１１５が下降状態へ変換したことを契機にして、左側表示用照明装置２６９Ｌおよび右側表示用照明装置２６９Ｒを消灯とともに中央表示用照明装置２６９Ｃを点灯する制御を実行して、導光板２６１の左側補助表示領域２６５Ｌおよび右側補助表示領域２６５Ｒにおける補助表示を停止するとともに中央補助表示領域２６５Ｃにおいて補助表示を行うことで、演出役物ユニット９５の演出動作と、変動表示装置３１における変動表示動作および補助演出ユニット２６０における補助表示動作との連動を行い、
　演出制御装置２９５が第１ユニットベース１１５の第１ユニット動作および補助演出ユニット２６０における補助表示と、変動表示装置３１における識別情報の変動表示と、を連動させる制御を実行する（【００９６】、【００９８】）
　ｄ　パチンコ遊技機１（【００２０】）。」
　
　（３）対比
　本件補正発明と引用発明とを対比する（対比にあたっては、本件補正発明の構成Ａ〜Ｄと引用発明の構成ａ〜ｄについて、それぞれ（ａ）〜（ｄ）の見出しを付して行った。）。
　　（ｂ１、ｂ２）
　引用発明における構成ｂ１、ｂ２の「第１ユニット回動軸１１９」は、本件補正発明における構成Ｂ１の「支持部材」に相当する。
　そして、引用発明における構成ｂ１、ｂ２の「第１可動役物ユニット１０１」を備える「演出役物ユニット９５」は、構成ｂによると、「演出動作を実行可能なユニットである」から、「演出役物ユニット９５」を構成する「第１可動役物ユニット１０１」も、「演出動作を実行可能なユニット」である。
　したがって、引用発明における「演出役物ユニット９５」が有する「上下動する第１可動役物ユニット１０１」は、本件補正発明における「可動部材」に相当する。
　ゆえに、引用発明の構成ｂ１、ｂ２は、本件補正発明の構成Ｂ１、Ｂ２に相当する。
　　
　　（ｂ３）
　引用発明における「補助表示領域２６５毎に対応して光を照射する照明装置２６９を導光板２６１の縁に沿って複数並べて構成されている、補助表示光源２６２からの光」は、「導光板２６１の縁」から「照射」されることから、本件補正発明における「端部からの光」に相当する。
　そして、引用発明における「屈曲光により光る」「変動表示領域３１ｂ毎に対応する補助表示領域２６５に」「それぞれ施され」ている「複数の花びらの輪郭を表現するドットパターン」は、本件補正発明における「発光する発光パターン」に相当する。　
　また、引用発明における「導光板２６１」は、本件補正発明における「導光板」に相当する。
　したがって、引用発明における構成ｂ３は、本件補正発明における構成Ｂ３に相当する。
　　
　　（ｂ４）
　引用発明における「表示開口部５６」、「センターケースユニット５１」は、それぞれ、本件補正発明における「窓部」、「前面構造体」に相当する。
　したがって、引用発明における構成ｂ４は、本件補正発明における構成Ｂ４に相当する。
　
　　（ｂ５）
　引用発明における構成ｂ５の「表示開口部５６から、」「表示部３１ａを遊技盤５の前方へ臨ませている変動表示装置３１」は、「表示開口部５６」を通して、「変動表示装置３１の表示部３１ａ」を視認可能であるから、本件補正発明における構成Ｂ５の「窓部を介して視認される表示手段」に相当する。
　
　　（ｂ６）
　引用発明における構成ｂ６の「作動により装飾効果を発揮する複数の第２装飾本体部１５１を搭載して構成され」た「第２可動役物ユニット１０２」は、本件補正発明における構成Ｂ６の「装飾部」に相当する。
　
　　（ｂ）
　上記（ｂ１、ｂ２）〜（ｂ６）より、引用発明における「第１可動役物ユニット１０１」、「導光板２６１」、「センターケースユニット５１」、「変動表示装置３１」、および、「第２可動役物ユニット１０２」を併せて構成される演出手段は、本件補正発明における構成Ｂの「遊技演出構造体」に相当する。
　　
　　（ａ、ｄ）
　上記（ｂ）より、引用発明における「第１可動役物ユニット１０１」、「導光板２６１」、「センターケースユニット５１」、「変動表示装置３１」、および、「第２可動役物ユニット１０２」を併せて構成される演出手段を備える「パチンコ遊技機１」は、本件補正発明における「遊技演出構造体」を備える「遊技機」に相当する。
　したがって、引用発明における構成ａ、ｄは、本件補正発明における構成Ａ、Ｄに相当する。
　　
　　（ｃ）
　引用発明における「第１ユニットベース１１５の第１ユニット動作時（演出制御装置２９５による第１ユニット動作制御の実行時）」は、「中央表示用照明装置２６９Ｃ」が「点灯」される「制御」が「実行」される時であるから、本件補正発明における「導光板が発光している時」に相当する。
　そして、引用発明において、「左側表示用照明装置２６９Ｌおよび右側表示用照明装置２６９Ｒを消灯」し、「導光板２６１の左側補助表示領域２６５Ｌおよび右側補助表示領域２６５Ｒにおける補助表示を停止する」と、「透光性部材で構成された平板」（構成ｂ３）である「導光板２６１の左側補助表示領域２６５Ｌおよび右側補助表示領域２６５Ｒ」を介して、後方に配置された「変動表示装置３１の表示部３１ａの」左側および右側の「変動表示領域３１ｂ」（構成ｂ３）における「識別情報の変動表示」が視認可能となるものと認める。　
　ここで、引用発明における「変動表示」される「識別情報」、「左側表示用照明装置２６９Ｌおよび右側表示用照明装置２６９Ｒを消灯」「する制御を実行して、」「補助表示を停止」された「導光板２６１の左側補助表示領域２６５Ｌおよび右側補助表示領域２６５Ｒ」は、それぞれ、本件補正発明における「演出画像」、「導光板の非発光領域」に相当する。
　そうすると、引用発明における、「左側表示用照明装置２６９Ｌおよび右側表示用照明装置２６９Ｒを消灯」し、「導光板２６１の左側補助表示領域２６５Ｌおよび右側補助表示領域２６５Ｒにおける補助表示を停止する」と、「透光性部材で構成された平板」である「導光板２６１の左側補助表示領域２６５Ｌおよび右側補助表示領域２６５Ｒ」を介して、後方に配置された「変動表示装置３１の表示部３１ａの」左側および右側の「変動表示領域３１ｂ」における「識別情報の変動表示」が視認可能となることは、本件補正発明における「導光板の非発光領域を介して遊技者が視認可能となるように演出画像を表示することが可能であ」ることに相当する。
　また、引用発明における「演出制御装置２９５が第１ユニットベース１１５の第１ユニット動作および補助演出ユニット２６０における補助表示と、変動表示装置３１における識別情報の変動表示と、を連動させる制御を実行する」ことは、「第１ユニット動作および」「補助表示と、」「識別情報の変動表示」「を連動させる」ことであるから、本件補正発明における「発光パターンが発光する発光演出と演出画像とが関連した演出を実行可能である」ことに相当する。
　したがって、引用発明の構成ｃの「変動表示装置３１」は、本件補正発明における構成Ｃの「表示手段」に相当する。
　　
　　（ｅ）
　上記（ａ）〜（ｄ）によれば、本件補正発明と引用発明は、
　［一致点］
「Ａ　遊技演出構造体を備える遊技機において、
　Ｂ　前記遊技演出構造体は、少なくとも、
　Ｂ１　支持部材により支持され、
　Ｂ２　動作演出を実行することが可能な可動部材と、
　Ｂ３　端部からの光の照射によって発光する発光パターンが形成される導光板と、
　Ｂ４　窓部を有する前面構造体と、
　Ｂ５　前記窓部を介して視認される表示手段と、
　Ｂ６　装飾部と、を備え、
　Ｃ　前記表示手段は、
前記導光板が発光している時における前記導光板の非発光領域を介して遊技者が視認可能となるように演出画像を表示することが可能であり、前記発光パターンが発光する発光演出と前記演出画像とが関連した演出を実行可能である
　Ｄ　遊技機。」の点で一致し、相違点はない。
　
　よって、本件補正発明は、引用発明である。
　（４）請求人の主張について
　請求人は、令和２年４月６日付けの審判請求書の「３．（３）新規性欠如、進歩性欠如を解消したことについて」（ii）（イ）対比」において、次の主張をする。
「・・・引用文献１には、桜の花弁が発光しない『非発光領域』を介して視認可能な演出画像が表示されることが記載されておらず、また、桜の花弁が発光しない『非発光領域』に何らかの画像が表示されるとしてもその画像と導光板２６１の発光パターンとが関連した演出を実行することについても記載されていない。 
　このため、引用文献１に開示の発明は、本願発明と同一ではない。
　また、引用文献１に開示の発明が、演出画像に対応する領域が発光せずにその周囲の領域が発光するので、導光板の発光を表示演出のエフェクトとして用いることができ、演出効果が向上する、という効果を奏し得ないことから、かかる効果の相違を参酌すると、本願発明は、引用文献１に開示の発明に基づいて進歩性を欠くものではない。」
　
　そこで、請求人の上記主張について検討する。
　上記（３）（ｃ）において検討したように、引用発明における「変動表示」される「識別情報」、「左側表示用照明装置２６９Ｌおよび右側表示用照明装置２６９Ｒを消灯」「する制御を実行して、」「補助表示を停止」された「導光板２６１の左側補助表示領域２６５Ｌおよび右側補助表示領域２６５Ｒ」は、それぞれ、本件補正発明における「演出画像」、「導光板の非発光領域」に相当する。
　したがって、引用発明は、「左側表示用照明装置２６９Ｌおよび右側表示用照明装置２６９Ｒを消灯」し、「導光板２６１の左側補助表示領域２６５Ｌおよび右側補助表示領域２６５Ｒにおける補助表示を停止する」と、「透光性部材で構成された平板」である「導光板２６１の左側補助表示領域２６５Ｌおよび右側補助表示領域２６５Ｒ」を介して、後方に配置された「変動表示装置３１の表示部３１ａの」左側および右側の「変動表示領域３１ｂ」における「識別情報の変動表示」が視認可能となるものである。
　
　また、引用発明は、「左側表示用照明装置２６９Ｌおよび右側表示用照明装置２６９Ｒを消灯とともに中央表示用照明装置２６９Ｃを点灯する制御を実行」するものであるから、点灯された「中央表示用照明装置２６９Ｃ」から照射される光による、エフェクト効果を発揮するものである。
　したがって、引用発明は、本件補正発明と同様の効果を奏するものである。
　よって、請求人の上記主張を採用することはできない。                
　
　　（５）小括
　上記（３）、（４）において検討したように、本件補正発明は、引用発明であるから、特許法第２９条第１項第３号に該当し、特許出願の際独立して特許を受けることができない。
　
　４　まとめ
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、令和１年１０月４日付け手続補正書の特許請求の範囲の請求項１に記載された事項により特定される次のとおりのものである。
「Ａ　遊技演出構造体を備える遊技機において、
　Ｂ　前記遊技演出構造体は、少なくとも、
　Ｂ１　支持部材により支持され、
　Ｂ２　動作演出を実行することが可能な可動部材と、
　Ｂ３　端部からの光の照射によって発光する発光パターンが形成される導光板と、
　Ｂ４　窓部を有する前面構造体と、
　Ｂ５　前記窓部を介して視認される表示手段と、
　Ｂ６　装飾部と、を備え、
　Ｃ−２　前記表示手段は、
　前記導光板が発光している時における前記導光板の非発光領域を介して遊技者が視認可能となるように演出画像を表示することが可能である
　Ｄ　遊技機。」
　
　２　拒絶の理由（令和１年８月１３日付け）
　原査定の拒絶の理由は、
「（新規性）この出願の請求項１に係る発明は、その出願前に日本国内において、頒布された下記の引用文献１に記載された発明であるから、特許法第２９条第１項第３号に該当し、特許を受けることができない。」という理由を含んでいる。
　
　　　　　引用文献１：特開２０１２−１７５９９４号公報　　　　　　
　
　３　引用文献１に記載された事項
　原査定の拒絶の理由に引用された引用文献１である特開２０１２−１７５９９４号公報（前記「第２　３（２）」における「引用文献１」に対応する。）の記載事項及び引用発明の認定については、前記「第２　３（２）引用文献」に記載したとおりである。
　
　４　対比・判断
　本願発明は、前記「第２［理由］」で検討した本件補正発明の「表示手段」において実行可能な演出に関して、「前記表示手段は、」「前記発光パターンが発光する発光演出と前記演出画像とが関連した演出を実行可能である」との限定を省くものである。
　
　そうすると、本件補正発明における構成Ｃの限定を省いてＣ−２とした本願発明と引用発明とは、
「Ａ　遊技演出構造体を備える遊技機において、
　Ｂ、Ｂ１、Ｂ２　前記遊技演出構造体は、少なくとも、
　　支持部材により支持され、動作演出を実行することが可能な可動部材と、
　Ｂ３　端部からの光の照射によって発光する発光パターンが形成される導光板と、
　Ｂ４　窓部を有する前面構造体と、
　Ｂ５　前記窓部を介して視認される表示手段と、
　Ｂ６　装飾部と、を備え、
　Ｃ−２　前記表示手段は、
　前記導光板が発光している時における前記導光板の非発光領域を介して遊技者が視認可能となるように演出画像を表示することが可能である
　Ｄ　遊技機。」の点で一致し、相違する点はない。
　
　したがって、本願発明は、引用発明である。
　
　５　むすび
　以上のとおりであるから、本願発明は、特許法第２９条第１項第３号に該当し特許を受けることができない。
　したがって、本願は拒絶すべきものである。
　
　よって、結論のとおり審決する。